(57)【要約】  【課題】  ＰＤを含むレーザパワーモニター回路のオフセットがモニター出力電圧に悪影響する問題を無くするレーザパワーモニター用出力電圧調整方法を提供する。  【解決手段】  所定のレーザパワーでレーザパワーモニター回路１２の出力電圧が所定値になるように、出力電圧調整用外部可変抵抗を変化させることで調整を行う際に、ＬＤ１１のオフ時のレーザパワーモニター回路１２の出力パルスのハイレベルとＬＤ１１のオン時の出力パルスのローレベルとの差が目標とする調整値の電圧となるように前記可変抵抗を変化させることで調整を行うので、レーザパワーモニター回路１２のオフセットがモニター出力電圧に悪影響することが無くなり、光ピックアップは記録や再生などの精度が向上する。【選択図】      図１
2006338702.tif 000002
【特許請求の範囲】
【請求項１】
レーザ光を出射するレーザダイオードと、このレーザダイオードのレーザパワーをモニ
ターするためのフォトダイオードを含み前記レーザダイオードから出射されたレーザ光の
一部を受光した前記フォトダイオードに流れる電流を電圧に変換して出力するレーザパワ
ーモニター回路と、このレーザパワーモニター回路の出力電圧を一定にすることで前記レ
ーザダイオードのレーザパワーを一定に制御するレーザ駆動制御回路とを有し、光ディス
クに対して情報を光学的に書込み／読出しを行う光ピックアップを備えた光ディスク記録
再生装置において、前記レーザダイオードの所定のレーザパワーで前記レーザパワーモニ
ター回路の出力電圧が所定値になるように、前記レーザパワーモニター回路の出力電圧調
整用外部可変抵抗を変化させることで調整を行う際、前記レーザ駆動制御回路の記録時に
使用しているパルス入力端子に、外部より所定周波数のパルス信号を入力し、前記レーザ
駆動制御回路の記録発光用のチャンネルを使用して前記レーザダイオードをパルス発光さ
せ、この状態での前記レーザパワーモニター回路の出力パルスを信号波形測定装置でモニ
ターし、前記レーザパワーモニター回路の出力パルスがオフセットをキャンセルできるよ
うに、前記レーザダイオードのオフ時の前記出力パルスのハイレベルと前記レーザダイオ
ードのオン時の前記出力パルスのローレベルとの差が目標とする調整値の電圧となるよう
に前記出力電圧調整用外部可変抵抗を変化させることで調整を行うことを特徴とするレー
ザパワーモニター用出力電圧調整方法。
【請求項２】
レーザ光を出射するレーザダイオードと、このレーザダイオードのレーザパワーをモニ
ターするためのフォトダイオードを含み前記レーザダイオードから出射されたレーザ光の
一部を受光した前記フォトダイオードに流れる電流を電圧に変換して出力するレーザパワ
ーモニター回路と、このレーザパワーモニター回路の出力電圧を一定にすることで前記レ
ーザダイオードのレーザパワーを一定に制御するレーザ駆動制御回路とを有し、光ディス
クに対して情報を光学的に書込み／読出しを行う光ピックアップを備えた光ディスク記録
再生装置において、前記レーザダイオードの所定のレーザパワーで前記レーザパワーモニ
ター回路の出力電圧が所定値になるように、前記レーザパワーモニター回路の出力電圧調
整用外部可変抵抗を変化させることで調整を行う際、前記レーザ駆動制御回路の記録時に
使用しているパルス入力端子に、外部より所定周波数のパルス信号を入力し、前記レーザ
駆動制御回路の記録発光用のチャンネルを使用して前記レーザダイオードをパルス発光さ
せ、この状態での前記レーザパワーモニター回路の出力パルスを信号波形測定装置でモニ
ターし、前記レーザパワーモニター回路の出力パルスがオフセットをキャンセルできるよ
うに前記出力パルスの振幅を調整することを特徴とするレーザパワーモニター用出力電圧
調整方法。
【請求項３】
前記レーザパワーモニター回路の出力パルスがオフセットをキャンセルできるように前
記出力パルスの振幅を調整するとは、前記レーザダイオードのオフ時の前記出力パルスの
ハイレベルと前記レーザダイオードのオン時の前記出力パルスのローレベルとの差が目標
とする調整値の電圧となるように前記出力電圧調整用外部可変抵抗を変化させることで調
整を行うことを特徴とする請求項２に記載のレーザパワーモニター用出力電圧調整方法。
【発明の詳細な説明】
【技術分野】
【０００１】
本発明は、光ディスク記録再生装置に備えられる光ピックアップにおいてレーザダイオ
ードの所定のレーザパワーでレーザパワーモニター回路の出力電圧が所定値になるように
、レーザパワーモニター回路の出力電圧調整用外部可変抵抗を変化させることで調整を行
うレーザパワーモニター用出力電圧調整方法に関する。
【背景技術】
【０００２】
ＣＤ−Ｒ（Compact Disc− Recordable）、ＤＶＤ−Ｒ（Digital Versatile Disc− Re
cordable）などの書込み可能な光ディスク、あるいはＣＤ−ＲＷ（Compact Disc− Rewri
table）、ＤＶＤ−ＲＷ（Digital Versatile Disc− Rewritable）などの書換え可能な光
ディスクでは、例えば、有機色素系記録材料を塗布形成した光ディスクにレーザ光を照射
して記録ピットを形成することにより情報を記録するようにしている。このような光ディ
スクに記録ピットを一定条件で安定して形成するには、常に一定のレーザパワーが得られ
るようにレーザダイオード（以下、ＬＤと言う）の駆動電流を制御する必要がある。
【０００３】
光ディスク記録再生装置におけるデータの記録は、例えば、ＣＤ−ＲやＤＶＤ−Ｒでは
、ディスク上の記録膜にＬＤから出射された強い光量のレーザ光を照射し、その熱反応に
より記録膜にピットを開けることにより行われる。また、ＣＤ−ＲＷやＤＶＤ−ＲＷでは
、記録膜の結晶状態を変化させることによってデータの記録が行われる。一方、光ディス
クに記録されたデータの再生は、ＬＤから出射された弱い光量のレーザ光を記録膜に照射
した場合に得られる反射光を読み取ることにより行われる。
【０００４】
ところで、光ディスク記録再生装置に備えられる光ピックアップは、ＬＤから出射され
たレーザ光のレーザパワーをレーザパワーモニター回路でモニターし、この結果をレーザ
駆動制御回路にフィードバックすることにより、ＬＤのレーザパワーを一定になるように
調整している。
【０００５】
図５は一般的な光ピックアップの回路構成を示すブロック図である。図５において、光
ピックアップ回路９は、ＬＤ１、光学系２、ＰＤ（フォトダイオード）４とＩ／Ｖ（電流
／電圧）変換回路５と増幅回路６とを含むレーザパワーモニター回路（フロントモニター
ＰＤ回路とも言い集積回路化されている）３、およびレーザ駆動制御回路７を含む。
【０００６】
この光ピックアップ回路９は、光ディスク８に記録や再生などの動作を行うために、先
ず、レーザ駆動制御回路７から当該動作のために要望されるレーザ駆動信号をＬＤ１に供
給する。ＬＤ１は、レーザ駆動制御回路７から入力したレーザ駆動信号に対応するレーザ
パワーを有するレーザの光信号を出射する。この出射された光信号は、光学系２を通じて
殆どが光ディスク８に照射され、その一部がレーザパワーモニター回路３のＰＤ４に入射
される。そして、ＰＤ４に流れる電流がＩ／Ｖ変換回路５で電圧に変換され、更に、増幅
回路６で所定のレベルの電圧に増幅され、この電圧がレーザ駆動制御回路７にフィードバ
ックされる。これにより、レーザ駆動制御回路７は、レーザパワーモニター回路３からフ
ィードバックされた電圧に基づいてＬＤ１に供給するレーザ駆動信号の電圧を調整してい
る。
【特許文献１】特開２００５−５６９６５号公報
【特許文献２】特開２００４−１４６０５０号公報
【発明の開示】
【発明が解決しようとする課題】
【０００７】
ところで、レーザパワーモニター回路３の出力電圧は、装置毎に異なる上、回路内には
ＰＤ４のオフセットを含め回路のオフセットがあるが、このオフセットが大きいと、ＬＤ
１のレーザパワーに悪影響が生じることになる。
【０００８】
そこで、従来のレーザパワーモニター用出力電圧調整方法では、ＬＤ１から出射される
レーザ光のレーザパワーを光パワーメーターで測定しながら、レーザパワーモニター回路
３の出力電圧をオシロスコープで見ながら、レーザモニター回路３の出力電圧調整用外部
可変抵抗（例えば図３のＶＲ１やＶＲ２）を変化させ、ＬＤ１の所定のレーザパワーでレ
ーザパワーモニター回路３の出力電圧が所定値になるように調整を行っている。
【０００９】
例えば、ＬＤ１が１ｍＷのレーザパワー（発光パワー）でレーザパワーモニター回路３
の出力電圧が１５ｍＶになるように調整する場合、調整前は、レーザパワーが０ｍＷ（Ｌ
Ｄ１がオフ状態）のときに、例えば、図６のライン６１で示すような電圧レベルにレーザ
パワーモニター回路３の出力電圧（調整前ＦＳＰＤ出力）が存在し、調整後は、レーザパ
ワーが１ｍＷ（ＬＤ１がオン状態）のときに、例えば、図６のライン６２で示すような電
圧レベルにレーザパワーモニター回路３の出力電圧（調整後ＦＳＰＤ出力）が存在する。
【００１０】
ところが、レーザパワーモニター回路３の仕様（ＩＣ仕様）により、レーザパワーモニ
ター回路３のオフセット電圧が±１５ｍＶあることにより、実際の調整後のレーザパワー
モニター回路３の出力電圧は、次のようになる。オフセット電圧が−１５ｍＶの時、調整
後の出力電圧は、０ｍＶになり、オフセット電圧が＋１５ｍＶの時、調整後の出力電圧は
、３０ｍＶになる。また、オフセット電圧は調整により、レーザパワーモニター回路３の
仕様内で変動する。この結果、調整後のレーザパワーモニター回路３の感度が最大４５ｍ
Ｖ／ｍＷとなり、このように調整されたレーザパワーモニター回路３を搭載した光ピック
アップは、記録や再生などの精度が劣り、使用上問題になるという課題が生じる。
【００１１】
なお、特許文献１の従来技術は、ノイズ振幅に対して実際に変更させるオフセット分の
大きさを予め決めておくことで、求められたノイズ振幅に対するオフセット電圧値を設定
しているが、ＬＤの所定のレーザパワーでレーザパワーモニター回路の出力電圧が所定値
になるように、レーザパワーモニター回路の出力電圧調整用外部可変抵抗を変化させるこ
とで調整を行うレーザパワーモニター用出力電圧調整方法に関するものではない。
【００１２】
特許文献２の従来技術は、ＬＤの光パワー（レーザパワー）に対してモニタリングする
モニターＰＤの利得を制御するものであるが、この従来技術も、ＬＤの所定のレーザパワ
ーでレーザパワーモニター回路の出力電圧が所定値になるように、レーザパワーモニター
回路の出力電圧調整用外部可変抵抗を変化させることで調整を行うレーザパワーモニター
用出力電圧調整方法に関するものではない。
【００１３】
本発明は、上記のような課題を解決するためになされたもので、ＬＤの所定のレーザパ
ワーでレーザパワーモニター回路の出力電圧が所定値になるように、レーザパワーモニタ
ー回路の出力電圧調整用外部可変抵抗を変化させることで調整を行う際に、レーザパワー
モニター回路のオフセットがモニター出力電圧に悪影響する問題を無くするレーザパワー
モニター用出力電圧調整方法を提供することを目的とする。
【課題を解決するための手段】
【００１４】
上記目的を達成するために、請求項１の発明は、レーザ光を出射するレーザダイオード
と、このレーザダイオードのレーザパワーをモニターするためのフォトダイオードを含み
前記レーザダイオードから出射されたレーザ光の一部を受光した前記フォトダイオードに
流れる電流を電圧に変換して出力するレーザパワーモニター回路と、このレーザパワーモ
ニター回路の出力電圧を一定にすることで前記レーザダイオードのレーザパワーを一定に
制御するレーザ駆動制御回路とを有し、光ディスクに対して情報を光学的に書込み／読出
しを行う光ピックアップを備えた光ディスク記録再生装置において、前記レーザダイオー
ドの所定のレーザパワーで前記レーザパワーモニター回路の出力電圧が所定値になるよう
に、前記レーザパワーモニター回路の出力電圧調整用外部可変抵抗を変化させることで調
整を行う際、前記レーザ駆動制御回路の記録時に使用しているパルス入力端子に、外部よ
り所定周波数のパルス信号を入力し、前記レーザ駆動制御回路の記録発光用のチャンネル
を使用して前記レーザダイオードをパルス発光させ、この状態での前記レーザパワーモニ
ター回路の出力パルスを信号波形測定装置でモニターし、前記レーザパワーモニター回路
の出力パルスがオフセットをキャンセルできるように、前記レーザダイオードのオフ時の
前記出力パルスのハイレベルと前記レーザダイオードのオン時の前記出力パルスのローレ
ベルとの差が目標とする調整値の電圧となるように前記出力電圧調整用外部可変抵抗を変
化させることで調整を行うことを特徴とするレーザパワーモニター用出力電圧調整方法を
提供する。
【００１５】
このレーザパワーモニター用出力電圧調整方法においては、前記レーザダイオードの所
定のレーザパワーで前記レーザパワーモニター回路の出力電圧が所定値になるように、前
記レーザパワーモニター回路の出力電圧調整用外部可変抵抗を変化させることで調整が行
われる際、前記レーザ駆動制御回路の記録時に使用しているパルス入力端子に、外部より
所定周波数のパルス信号が入力され、前記レーザ駆動制御回路の記録発光用のチャンネル
を使用して前記レーザダイオードがパルス発光される。
【００１６】
そして、この状態での前記レーザパワーモニター回路の出力パルスが信号波形測定装置
でモニターされ、前記レーザパワーモニター回路の出力パルスがオフセットをキャンセル
できるように、前記レーザダイオードのオフ時の前記出力パルスのハイレベルと前記レー
ザダイオードのオン時の前記出力パルスのローレベルとの差が目標とする調整値の電圧と
なるように前記出力電圧調整用外部可変抵抗を変化させることで調整が行われる。
【００１７】
このレーザパワーモニター用出力電圧調整方法によれば、レーザダイオードの所定のレ
ーザパワーでレーザパワーモニター回路の出力電圧が所定値になるように、レーザパワー
モニター回路の出力電圧調整用外部可変抵抗を変化させることで調整を行う際に、レーザ
パワーモニター回路の出力パルスがオフセットをキャンセルできるように、レーザダイオ
ードのオフ時の前記出力パルスのハイレベルとレーザダイオードのオン時の前記出力パル
スのローレベルとの差が目標とする調整値の電圧となるように出力電圧調整用外部可変抵
抗を変化させることで調整を行うので、レーザパワーモニター回路のオフセットがモニタ
ー出力電圧に悪影響することが無くなり、光ピックアップは記録や再生などの精度が向上
する。
【００１８】
即ち、このレーザパワーモニター用出力電圧調整方法によれば、フォトダイオードを含
むレーザパワーモニター回路の出力電圧によってレーザダイオードから出射されるレーザ
パワーを知ることができ、装置側のダイナミックレンジを超えることなく前記出力電圧を
調整することができ、光ピックアップは記録や再生などの精度が向上する。
【００１９】
請求項２の発明は、レーザ光を出射するレーザダイオードと、このレーザダイオードの
レーザパワーをモニターするためのフォトダイオードを含み前記レーザダイオードから出
射されたレーザ光の一部を受光した前記フォトダイオードに流れる電流を電圧に変換して
出力するレーザパワーモニター回路と、このレーザパワーモニター回路の出力電圧を一定
にすることで前記レーザダイオードのレーザパワーを一定に制御するレーザ駆動制御回路
とを有し、光ディスクに対して情報を光学的に書込み／読出しを行う光ピックアップを備
えた光ディスク記録再生装置において、前記レーザダイオードの所定のレーザパワーで前
記レーザパワーモニター回路の出力電圧が所定値になるように、前記レーザパワーモニタ
ー回路の出力電圧調整用外部可変抵抗を変化させることで調整を行う際、前記レーザ駆動
制御回路の記録時に使用しているパルス入力端子に、外部より所定周波数のパルス信号を
入力し、前記レーザ駆動制御回路の記録発光用のチャンネルを使用して前記レーザダイオ
ードをパルス発光させ、この状態での前記レーザパワーモニター回路の出力パルスを信号
波形測定装置でモニターし、前記レーザパワーモニター回路の出力パルスがオフセットを
キャンセルできるように前記出力パルスの振幅を調整することを特徴とするレーザパワー
モニター用出力電圧調整方法を提供する。
【００２０】
このレーザパワーモニター用出力電圧調整方法においては、前記レーザダイオードの所
定のレーザパワーで前記レーザパワーモニター回路の出力電圧が所定値になるように、前
記レーザパワーモニター回路の出力電圧調整用外部可変抵抗を変化させることで調整が行
われる際、前記レーザ駆動制御回路の記録時に使用しているパルス入力端子に、外部より
所定周波数のパルス信号が入力され、前記レーザ駆動制御回路の記録発光用のチャンネル
を使用して前記レーザダイオードがパルス発光される。そして、この状態での前記レーザ
パワーモニター回路の出力パルスが信号波形測定装置でモニターされ、前記レーザパワー
モニター回路の出力パルスがオフセットをキャンセルできるように前記出力パルスの振幅
が調整される。
【００２１】
このレーザパワーモニター用出力電圧調整方法によれば、レーザダイオードの所定のレ
ーザパワーでレーザパワーモニター回路の出力電圧が所定値になるように、レーザパワー
モニター回路の出力電圧調整用外部可変抵抗を変化させることで調整を行う際に、レーザ
パワーモニター回路の出力パルスがオフセットをキャンセルできるように、レーザパワー
モニター回路の出力パルスの振幅が調整されるので、レーザパワーモニター回路のオフセ
ットがモニター出力電圧に悪影響することが無くなり、光ピックアップは記録や再生など
の精度が向上する。
【００２２】
請求項３の発明では、請求項２の発明において、前記レーザパワーモニター回路の出力
パルスがオフセットをキャンセルできるように前記出力パルスの振幅を調整するとは、前
記レーザダイオードのオフ時の前記出力パルスのハイレベルと前記レーザダイオードのオ
ン時の前記出力パルスのローレベルとの差が目標とする調整値の電圧となるように前記出
力電圧調整用外部可変抵抗を変化させることで調整を行うので、前記レーザパワーモニタ
ー回路の出力パルスがオフセットをキャンセルすることができ、これにより、前記レーザ
パワーモニター回路の出力は精度の高いものとなる。
【発明の効果】
【００２３】
以上のように本発明によれば、レーザダイオードの所定のレーザパワーでレーザパワー
モニター回路の出力電圧が所定値になるように、レーザパワーモニター回路の出力電圧調
整用外部可変抵抗を変化させることで調整を行う際に、レーザパワーモニター回路の出力
パルスがオフセットをキャンセルできるように、レーザダイオードのオフ時の前記出力パ
ルスのハイレベルとレーザダイオードのオン時の前記出力パルスのローレベルとの差が目
標とする調整値の電圧となるように出力電圧調整用外部可変抵抗を変化させることで調整
を行うようにしたので、レーザパワーモニター回路のオフセットがモニター出力電圧に悪
影響することが無くなり、光ピックアップは記録や再生などの精度が向上する。
【００２４】
即ち、このレーザパワーモニター用出力電圧調整方法によれば、フォトダイオードを含
むレーザパワーモニター回路の出力電圧によってレーザダイオードから出射されるレーザ
パワーを知ることができ、装置側のダイナミックレンジを超えることなく前記出力電圧を
調整することができ、これにより、光ピックアップは記録や再生などの精度が向上する。
【００２５】
また、本発明によれば、レーザダイオードの所定のレーザパワーでレーザパワーモニタ
ー回路の出力電圧が所定値になるように、レーザパワーモニター回路の出力電圧調整用外
部可変抵抗を変化させることで調整を行う際、レーザ駆動制御回路の記録時に使用してい
るパルス入力端子に、外部より所定周波数のパルス信号を入力し、レーザ駆動制御回路の
記録発光用のチャンネルを使用してレーザダイオードをパルス発光させ、この状態でのレ
ーザパワーモニター回路の出力パルスを信号波形測定装置でモニターし、レーザパワーモ
ニター回路の出力パルスがオフセットをキャンセルできるように出力パルスの振幅を調整
するようにしたので、レーザパワーモニター回路のオフセットがモニター出力電圧に悪影
響することが無くなり、光ピックアップは記録や再生などの精度が向上する。
【００２６】
即ち、このレーザパワーモニター用出力電圧調整方法によれば、フォトダイオードを含
むレーザパワーモニター回路の出力電圧によってレーザダイオードから出射されるレーザ
パワーを知ることができ、装置側のダイナミックレンジを超えることなく前記出力電圧を
調整することができ、これにより、光ピックアップは記録や再生などの精度が向上する。
【発明を実施するための最良の形態】
【００２７】
以下、添付図面を参照しつつ、本発明の実施の形態について説明する。フロントモニタ
ーのＰＤ（ＦＳＰＤ）の調整方法は、即ち、レーザパワーモニター用出力電圧調整方法は
、メーカーの仕様書よりレーザパワーモニター回路の外部抵抗（出力電圧調整用外部可変
抵抗）を変化させることで、その出力電圧を調整できると言う記載があり、調整を行うが
、調整目標（例えば、ＤＶＤ；１５ｍＶ±３ｍＶ、ＣＤ；９０ｍＶ±８ｍＶ）に対してオ
フセット（例えば、ＤＶＤ；±１５ｍＶ、ＣＤ；±２５ｍＶ）が大きすぎ、外部抵抗を変
化させることで、オフセットも変化するため、その出力電圧にオフセットの影響が出てし
まう。そこで、本発明の一実施形態のレーザパワーモニター用出力電圧調整方法では、レ
ーザパワーモニター回路のオフセットの影響を無視した出力電圧の調整を行い、調整精度
の高い調整を提供している。
【００２８】
図１は本発明の一実施形態に係るレーザパワーモニター用出力電圧調整方法を採用した
測定構成を示すブロック図である。図１において、光ピックアップ回路１０は、レーザ光
を出射するＬＤ（レーザダイオード）１１と、このＬＤ１１のレーザパワー（ＬＤ発光出
力）をモニターするためのＰＤ（図示せず）を含みＬＤ１１から出射されたレーザ光の一
部を光学系（図示せず）を介して受光したＰＤに流れる電流を電圧に変換し所定レベルに
前記電圧を増幅して出力するレーザパワーモニター回路１２と、このレーザパワーモニタ
ー回路１２の出力電圧を一定にすることでＬＤ１１のレーザパワーを一定に制御するレー
ザ駆動制御回路１３とを有する。なお、この光ピックアップ回路１０は、図５で説明した
光ピックアップ回路９と同じ回路構成である。
【００２９】
また、図１において、オシロスコープ１５は、レーザパワーモニター回路１２の出力電
圧を測定するための信号波形測定装置である。フロントモニターＰＤ調整治具１６は、Ｌ
Ｄ発光制御回路１７と信号発生器１８を有し、ＬＤ発光制御回路１７はレーザ駆動制御回
路１３にレーザパワー制御電圧を出力し、信号発生器１８はレーザ駆動制御回路１３にパ
ルス信号（ロジック信号）を出力する。信号発生器１８としては、例えば、ファンクショ
ンジェネレータを用いることができる。
【００３０】
図２は図１中のフロントモニターＰＤ調整治具１６に含まれる調整治具回路の一例を示
す回路図である。図２において、Ｌ１はＤＶＤ時にＬＤを発光させるための電圧を供給す
るライン、Ｌ２はＣＤ時にＬＤを発光させるための電圧を供給するライン、Ｌ３は高周波
信号をレーザ駆動信号に重畳する重畳回路のオン／オフの切り換え制御を行うための切換
信号を伝送するライン、Ｌ４，Ｌ５は外部からの制御信号を受けるライン、Ｌ６は再生時
にＬＤを発光させるための電圧が供給されるライン（再生発光用チャンネルのライン）、
Ｌ７はＤＶＤの記録時にＬＤを発光させるための電圧が供給されるライン（ＤＶＤ記録発
光用チャンネルのライン）、Ｌ８はＣＤの記録時にＬＤを発光させるための電圧が供給さ
れるライン（ＣＤ記録発光用チャンネルのライン）、Ｌ９はレーザパワーモニター回路１
２（図１参照）への電源供給のライン、Ｌ１０はレーザパワーモニター回路１２への基準
電圧供給のライン、Ｌ１１はＤＶＤとＣＤとの２系統の電圧切換のライン、Ｌ１２はレー
ザパワーモニター回路１２の出力ラインをそれぞれ示す。
【００３１】
再生発光用チャンネルの電源供給回路２１は、演算増幅器２１１および演算増幅器２１
２などを含み、可変抵抗２１３により設定された電圧がラインＬ６に出力されるように回
路構成されている。ＤＶＤ記録発光用チャンネルの電源供給回路２２は、演算増幅器２２
１および演算増幅器２２２などを含み、可変抵抗２２３により設定された電圧がラインＬ
７に出力されるように回路構成されている。ＣＤ記録発光用チャンネルの電源供給回路２
３は、演算増幅器２３１および演算増幅器２３２などを含み、可変抵抗２３３により設定
された電圧がラインＬ８に出力されるように回路構成されている。コネクタ２４には、光
ピックアップ回路１０（図１参照）が図示しないケーブルを介して接続されている。
【００３２】
レーザパワーモニター回路１２の出力電圧の調整時には、フロントモニターＰＤ調整治
具１６（図１参照）からのレーザパワー制御電圧がコネクタ２４を介してレーザ駆動制御
回路１３に入力され、同じくフロントモニターＰＤ調整治具１６からのパルス信号がコネ
クタ２４を介してレーザ駆動制御回路１３に入力される。また、図２中のラインＬ１２に
は、オシロスコープ１５（図１参照）のプローブが接続され、レーザパワーモニター回路
１２の出力電圧がオシロスコープ１５で測定される。
【００３３】
図３は図１中のレーザパワーモニター回路１２が集積化されたＩＣ内部の回路構成と外
部端子を示す回路図である。このレーザパワーモニター回路１２は、ＰＤ（フォトダイオ
ード）１２１、演算増幅器１２２，１２３，１２４、３倍増幅器１２５、コンデンサ１２
６，１２７、抵抗１２８，１２９，１３０，１３１，１３２、およびスイッチ１３３をＩ
Ｃ内部に備え、５ピンのＶｉｎ１端子と７ピンのＩＶｏｕｔ端子との間には、外部抵抗と
して、出力電圧調整用外部可変抵抗ＶＲ１が接続され、４ピンのＶｉｎ２端子と７ピンの
ＩＶｏｕｔ端子との間には、外部抵抗として、出力電圧調整用外部可変抵抗ＶＲ２が接続
される。
【００３４】
この回路構成において、ＰＤ１２１は、ＬＤ１１（図１参照）からのレーザ光の一部を
受光すると、フォト電流が流れ、このフォト電流が演算増幅器１２２により電圧に変換さ
れ、この電圧は、出力電圧調整用外部可変抵抗ＶＲ１および抵抗１３０を介して演算増幅
器１２３に与えられて増幅され、また、出力電圧調整用外部可変抵抗ＶＲ２および抵抗１
３１を介して演算増幅器１２４に与えられて増幅される。３ピンのＶｓｗ端子にＬｏｗレ
ベルの信号が入力されたとき、スイッチ１３３がＬｏｗ側（ＤＶＤ駆動時のモニター出力
電圧）に設定されるので、演算増幅器１２３の出力電圧は、スイッチ１３３を介して６ピ
ンのＶｏｕｔ端子から出力される。また、３ピンのＶｓｗ端子にＨｉｇｈレベルの信号が
入力されたとき、スイッチ１３３がＨｉｇｈ側（ＣＤ駆動時のモニター出力電圧）に設定
されるので、演算増幅器１２４の出力電圧は、３倍増幅器１２５で３倍に増幅され、スイ
ッチ１３３を介して６ピンのＶｏｕｔ端子から出力される。
【００３５】
図４は本実施形態におけるレーザパワーモニター用出力電圧調整方法を説明するための
信号波形図である。図４において、４１は調整前にＬＤ１１（図１参照）に駆動信号とし
ての１ｍＷのパルス信号を印加して、ＬＤ１１から出射されたレーザ光の一部を受光した
ＰＤ１２１（図３参照）により動作したレーザパワーモニター回路１２から出力されるパ
ルス電圧を示す。このパルス電圧４１のハイレベル（調整前ＦＳＰＤ出力）は、調整前で
ＬＤ１１がオフ（レーザパワーが０ｍＷ）時のレーザパワーモニター回路１２の出力電圧
のハイレベル電位を示し、このパルス電圧４１のローレベル（調整前ＦＳＰＤ出力）は、
調整前でＬＤ１１がオン（レーザパワーが１ｍＷ）時のレーザパワーモニター回路１２の
出力電圧のローレベル電位を示す。
【００３６】
また、図４において、４２は調整後にＬＤ１１（図１参照）に駆動信号としての１ｍＷ
のパルス信号を印加して、ＬＤ１１から出射されたレーザ光の一部を受光したＰＤ１２１
（図３参照）により動作したレーザパワーモニター回路１２から出力されるパルス電圧を
示す。このパルス電圧４２のハイレベル（調整後ＦＳＰＤ出力）は、調整後でＬＤ１１が
オフ（レーザパワーが０ｍＷ）時のレーザパワーモニター回路１２の出力電圧のハイレベ
ル電位を示し、このパルス電圧４１のローレベル（調整後ＦＳＰＤ出力）は、調整後でＬ
Ｄ１１がオン（レーザパワーが１ｍＷ）時のレーザパワーモニター回路１２の出力電圧の
ローレベル電位を示す。
【００３７】
図４で示すように、調整前のレーザパワーモニター回路１２の出力電圧（ＬＤ１１がオ
フでレーザパワーが０ｍＷのときの出力電圧）と、調整後のレーザパワーモニター回路１
２の出力電圧（ＬＤ１１がオフでレーザパワーが０ｍＷのときの出力電圧）とは、調整に
よるオフセット変化により違う電圧値になる。これにより、調整でのレーザパワーモニタ
ー回路１２のオフセットの変動を無視した調整ができる。
【００３８】
詳しくは、ＬＤ１１の所定のレーザパワー（例えば１ｍＷのレーザパワー）でレーザパ
ワーモニター回路１２の出力電圧が所定値（例えば１５ｍＶ）になるように、レーザパワ
ーモニター回路１２の例えば出力電圧調整用外部可変抵抗ＶＲ１を変化させることで調整
を行う際、レーザ駆動制御回路１３の記録時に使用しているパルス入力端子（例えば図２
中のラインＬ５に接続されたコネクタ２４の端子）に、外部（例えば図１中の信号発生器
１８）より所定周波数（例えばデューティ比５０％で３０ＫＨｚ）のパルス信号を入力し
、レーザ駆動制御回路１３の記録発光用のチャンネル（例えば図２中の電源供給回路２２
）を使用してＬＤ１１をパルス発光させる。
【００３９】
そして、この状態でのレーザパワーモニター回路１２の出力パルスをオシロスコープ１
５でモニターし、レーザパワーモニター回路１２の出力パルスがオフセットをキャンセル
できるように、ＬＤ１１のオフ時の前記出力パルスのハイレベルとＬＤ１１のオン時の前
記出力パルスのローレベルとの差が目標とする調整値の電圧となるように、例えば出力電
圧調整用外部可変抵抗Ｒ１を変化させることで調整を行う。
【００４０】
ここで、実際のＤＶＤに対するレーザパワーモニター用出力電圧調整方法の一例につい
て説明する。先ず、オシロスコープ１５のレンジを５０ｍＶ／ｄｉｖに設定し、ＤＶＤの
調整値の確認を行う。ＤＶＤの調整値は１５０ｍＶなので、カーソルをΔＹが１５０ｍＶ
となるように設定する。この時、カーソルの上側を波
形に合わせておく。
【００４１】
次に、光パワーメーター１４の波長設定は、λボタンを押して波長を６６０ｎｍ（ＤＶ
Ｄに対するレーザ波長）に変更する。また、ファンクションジェネレータ（信号発生器１
８）からの出力端を、ラインＬ５に接続されたコネクタ２４のピンに接続する。この後、
ラインＬ１に接続されたディップスイッチ２６のスイッチをオンすると共にラインＬ３に
接続されたディップスイッチ２６のスイッチをオンする。
【００４２】
次に、レーザパワーモニター回路１２のゲインをＬｏｗ（スイッチ１３３をＬｏｗ側）
に設定し、光パワーメーター１４の数値を見ながら、電源供給回路２２のスイッチ２２４
をオンする。そして、電源供給回路２２の可変抵抗２２３を変化させて光パワーメーター
１４の数値が９．９０ｍＷ〜９．９５ｍＷになるように調整する。この調整が完了したら
、ラインＬ５に接続されたディップスイッチ２６のスイッチをオンしてＬＤ１１を点滅さ
せる。ＬＤ１１が点滅すれば、オシロスコープ１５に表示された波形が方形波（凸凹）と
なるので、上下とも調整値の幅に合うように、光ピックアップの調整ボリューム（図３中
の出力電圧調整用外部可変抵抗ＶＲ１）を回して調整する。
【００４３】
次に実際のＣＤに対するレーザパワーモニター用出力電圧調整方法の一例について説明
する。先ず、オシロスコープ１５のレンジを１０ｍＶ／ｄｉｖに設定し、ＣＤの調整値の
確認を行う。ＣＤの調整値は３３ｍＶなので、カーソルをΔＹ
が３３ｍＶとなるように設定する。この時、カーソルの上側を波形に合わせておく。
【００４４】
次に、光パワーメーター１４の波長設定は、λボタンを押して波長を７９０ｎｍ（ＣＤ
に対するレーザ波長）に変更する。また、ファンクションジェネレータ（信号発生器１８
）からの出力端を、ラインＬ４に接続されたコネクタ２４のピンに接続する。この後、ラ
インＬ２に接続されたディップスイッチ２６のスイッチをオンする。
【００４５】
次に、レーザパワーモニター回路１２のゲインをＨｉｇｈ（スイッチ１３３をＨｉｇｈ
側）に設定し、光パワーメーター１４の数値を見ながら、電源供給回路２３のスイッチ２
３４をオンする。そして、電源供給回路２３の可変抵抗２３３を変化させて光パワーメー
ター１４の数値が０．３４５ｍＷ〜０．３５５ｍＷになるように調整する。この調整が完
了したら、ラインＬ４に接続されたディップスイッチ２６のスイッチをオンしてＬＤ１１
を点滅させる。ＬＤ１１が点滅すれば、オシロスコープ１５に表示された波形が方形波（
凸凹）となるので、上下とも調整値の幅に合うように、光ピックアップの調整ボリューム
（図３中の出力電圧調整用外部可変抵抗ＶＲ２）を回して調整する。
【００４６】
以上説明したように本実施形態によれば、レーザダイオードの所定のレーザパワーでレ
ーザパワーモニター回路の出力電圧が所定値になるように、レーザパワーモニター回路の
出力電圧調整用外部可変抵抗を変化させることで調整を行う際に、レーザパワーモニター
回路の出力パルスがオフセットをキャンセルできるように、レーザダイオードのオフ時の
前記出力パルスのハイレベルとレーザダイオードのオン時の前記出力パルスのローレベル
との差が目標とする調整値の電圧となるように出力電圧調整用外部可変抵抗を変化させる
ことで調整を行うので、レーザパワーモニター回路のオフセットがモニター出力電圧に悪
影響することが無くなり、光ピックアップは記録や再生などの精度が向上する。
【００４７】
即ち、このレーザパワーモニター用出力電圧調整方法によれば、フォトダイオードを含
むレーザパワーモニター回路の出力電圧によってレーザダイオードから出射されるレーザ
パワーを知ることができ、装置側のダイナミックレンジを超えることなく前記出力電圧を
調整することができ、光ピックアップは記録や再生などの精度が向上する。
【図面の簡単な説明】
【００４８】
【図１】本発明の一実施形態に係るレーザパワーモニター用出力電圧調整方法を採用した測定構成を示すブロック図である。
【図２】図１中のフロントモニターＰＤ調整治具に含まれる調整治具回路の一例を示す回路図である。
【図３】図１中のレーザパワーモニター回路が集積化されたＩＣ内部の回路構成と外部端子を示す回路図である。
【図４】前記実施形態におけるレーザパワーモニター用出力電圧調整方法を説明するための信号波形図である。
【図５】一般的な光ピックアップの回路構成を示すブロック図である。
【図６】従来のレーザパワーモニター用出力電圧調整方法を説明するための信号波形図である。
【符号の説明】
【００４９】
１０    光ピックアップ回路
１１    ＬＤ
１２    レーザパワーモニター回路
１３    レーザ駆動制御回路
１５    オシロスコープ（信号波形測定装置）
ＶＲ１，ＶＲ２    出力電圧調整用外部可変抵抗
【図１】
2006338702.tif 000003
【図２】
2006338702.tif 000004
【図３】
2006338702.tif 000005
【図４】
2006338702.tif 000006
【図５】
2006338702.tif 000007
【図６】
2006338702.tif 000008